(57)【特許請求の範囲】
【請求項１】
ＣＤあるいはＭＤに、夫々独立した再生用トラックを１４トラック以上用意してトラックＴｒ−１，Ｔｒ−２，……，Ｔｒ−１４，……とした上、予め結婚式プログラムの各場面に応じて選択した最適な曲想の幾つかの曲や効果音等の音源Ｍ−Ｅ，Ｍ−Ｐ，Ｍ−Ｊ，Ｍ−Ｆ，Ｍ−Ｓ夫々を、演奏場面における割当て時間に対応可能となるよう曲の演奏箇所および演奏時間の長さを編集して演奏課目Ｍ−Ｅ１，Ｍ−Ｅ２，……，Ｍ−Ｐ１，Ｍ−Ｐ２……，Ｍ−Ｊ１，Ｍ−Ｊ２，……，Ｍ−Ｆ１，Ｍ−Ｆ２，……，Ｍ−Ｓ１，Ｍ−Ｓ２……とし、各トラック毎にそれら演奏課目を割り振り録音したものとしてＰＣ入力用記録媒体となし、式典プログラム各場面で演奏すべき曲や効果音に相当する基本演奏課目Ｍ−Ｅ１，Ｍ−Ｐ１，Ｍ−Ｊ１の録音されたトラックＴｒ−１，Ｔｒ−５，Ｔｒ−１０を、式典プログラム進行予定に合わせ、式典開始時間からの積算値として、予めＰＣに該ＰＣ入力用記録媒体を使った演奏開始時点に指定、入力し、これら基本演奏課目Ｍ−Ｅ１，Ｍ−Ｐ１，Ｍ−Ｊ１を所定場面に自動演奏可能となるようにする手段、式典進行が予定時間から外れる状況が予測され始めた時点に、予め入力した基本演奏課目と同種の演奏課目で、予想される外れ具合に対応可能な演奏課目の録音されたトラックを補正トラックとして任意の位置にドラッグ、入力し、それら補正トラックに録音された補正演奏課目Ｍ−Ｅ２，Ｍ−Ｐ２，Ｍ−Ｊ２を、基本演奏課目Ｍ−Ｅ１，Ｍ−Ｐ１，Ｍ−Ｊ１の演奏中にクロスフェードして補正演奏課目Ｍ−Ｅ２，Ｍ−Ｐ２，Ｍ−Ｊ２の演奏に自動的または手動によって置き換え処理する手段、更に式典進行が予定時間から外れ、補正演奏課目Ｍ−Ｅ２，Ｍ−Ｐ２，Ｍ−Ｊ２の演奏で対処しきれない状況が予測されたときには、予想される外れ具合に対応可能なその他の演奏課目の録音されたトラックを再補正トラックとして任意の位置にドラッグ、入力し、上記置き換え処理手段と同様に置き換えする処理手段を繰り返す手段を備えたことを特徴とする結婚式の式典進行システム。
【請求項２】
ＣＤあるいはＭＤに、夫々独立した再生用トラックを１４トラック以上用意してトラックＴｒ−１，Ｔｒ−２，……，Ｔｒ−１４，……とした上、日本の伝統的装束である烏帽子筥迫＝烏帽子を身に付けて雛壇まで行列、行進する入場様式とする結婚式の烏帽子の儀式および筥迫の儀式の儀式進行場面、ならびにその儀式後に行列、行進する場面に応じ、予め謡や雅楽、あるいはそれらに代わる新曲等少なくとも二曲Ｍ−Ｅ，Ｍ−Ｊと鈴の音Ｍ−Ｓの音源夫々を、演奏場面における割当て時間に対応可能となるよう曲の演奏箇所および演奏時間の長さを編集して演奏課目Ｍ−Ｅ１，Ｍ−Ｅ２，……，Ｍ−Ｅ７、およびＭ−Ｊ１、ならびにＭ−Ｓ１，Ｍ−Ｓ２とし、各トラック毎にそれら演奏課目を割り振り録音したものとしてＰＣ入力用記録媒体となし、式典の進行各場面で演奏すべき曲や効果音に相当する基本演奏課目Ｍ−Ｅ１，Ｍ−Ｐ１，Ｍ−Ｊ１の録音されたトラックＴｒ−１，Ｔｒ−５，Ｔｒ−１０を、式典プログラム進行予定に合わせ、式典開始時間からの積算値として、予めＰＣに該ＰＣ入力用記録媒体を使った演奏開始時点に指定、入力し、これら基本演奏課目Ｍ−Ｅ１，Ｍ−Ｐ１，Ｍ−Ｊ１を、烏帽子の儀式および筥迫の儀式の儀式進行場面、ならびにその儀式後に行列、行進する場面に自動演奏可能となるようにする手段、式典進行が予定時間から外れる状況が予測され始めた時点に、予め入力した基本演奏課目と同種の演奏課目で、予想される外れ具合に対応可能な演奏課目の録音されたトラックを補正トラックとして任意の位置にドラッグ、入力し、それら補正トラックに録音された補正演奏課目Ｍ−Ｅ２，Ｍ−Ｐ２，Ｍ−Ｊ２を、基本演奏課目Ｍ−Ｅ１，Ｍ−Ｐ１，Ｍ−Ｊ１の演奏中にクロスフェードして補正演奏課目Ｍ−Ｅ２，Ｍ−Ｐ２，Ｍ−Ｊ２の演奏に自動的または手動によって置き換え処理する手段、更に式典進行が予定時間から外れ、補正演奏課目Ｍ−Ｅ２，Ｍ−Ｐ２，Ｍ−Ｊ２の演奏で対処しきれない状況が予測されたときには、予想される外れ具合に対応可能なその他の演奏課目の録音されたトラックを再補正トラックとして任意の位置にドラッグ、入力し、上記置き換え処理手段と同様に置き換えする処理手段を繰り返す手段を備えたことを特徴とする結婚式の式典進行システム。
【請求項３】
Ｍ−Ｅが新曲の烏帽子折幻想曲である、請求項１または２何れか記載の結婚式の式典進行システム。
【請求項４】
Ｍ−Ｊが謡曲の「烏帽子折り」である、請求項１または２何れか記載の結婚式の式典進行システム。
【発明の詳細な説明】
【０００１】
【発明の目的】
この発明は、結婚式プログラム各場面で演奏する曲や効果音等の音源夫々を、予めＰＣに入力して演奏場面に応じて自動演奏するようにした後、式典進行が予定から外れる虞れのあるときに、ＰＣ入力用記録媒体に予め記録した演奏課目を最適な条件で置き換え処理可能とする結婚式の式典進行システムに係わるものであり、特に、新郎新婦が式場雛壇に進むまでの間に、日本の伝統的装束である烏帽子を身に付ける儀式を取り入れる際に、それら儀式の進行具合や式場の大きさの違い等によって異なる音源の開始時間や演奏時間の変更に対応可能となるようにする、新規な結婚式の式典進行システムを提供しようとするものである。
【０００２】
【従来の技術】
人の一生に係わるしきたり、行事の中で、成人式と結婚式とは、社会に対して責任ある行動が求められていく大きな関門になるという意味合いで、今も昔も極めて重要な儀式であることに何等違いはないものの、時代の変遷と共に、儀式に望む姿勢や式典内容にも少しずつ様変わりをしてきていて、最近では、人生の関門としての意義よりも、人生の一通過点をお祝するお祭り的な様相を呈してしまうきらいがあり、我が国の現在に至る繁栄の基をなしてきた筈の伝統に培われた荘厳な雰囲気の現出や、そうした場面に望むための心構えや身だしなみ等の点が軽んじられる風潮が目立ち、当の本人は固よりのこと、社会全体がそうした立ち居振る舞いの意義に鈍感になりつつあると言えなくもない。
【０００３】
「立ち居振舞い」が人間の行動規範に大きく影響することは、古来からよく知られた事実とはいうものの、こうして「立ち居振舞い」に対する関心が薄れて社会全体が伝承的な機能を果たし得なくなり、近時の成人式や結婚式のように、その儀式の因って来る由来を殆ど意識できないまま育って儀式を迎えようとする若者達が、個々人の主義主張だけを優先し、それを社会全体で許容してしまう昨今、人生の関門たる儀式の様相も一変してしまい、何処の国に住まいする人の儀式なのか判別が付かなかったり、あるいは本当に信仰があっての儀式なのかを疑いたくなるような出立ちが罷り通ったり、将又何処かの芸能ステージでも切り取り、スター気取りの衣装で悦に入っているような儀式が半ば公然化して、益々人生の関門たる意義は廃れ、その結果が、社会構成員としての自覚を無くすことにも繋がって、世の中を震撼させる様々な事件にまで安易に関係してしまうような社会現象の遠因の一つになっているのではないかと指摘する向きもある。
【０００４】
人生の最大の関門たる結婚式は、洋の東西を問わず、本来、男女が縁あって結ばれ、一生を夫婦として連れ添い、社会構成員の一組として世の中に迎えられてその責任と義務とを果たすべく決意を誓う極めて重要な儀式であり、夫々の属する地域に伝承されてきている慣習や、その男女を取り巻く親戚縁者、地域縁者とのしきたりを重んじて式典が執り行われ、その儀式を通じて本人達はそれらの意義を知り、社会構成員としての自覚を高め、強い責任を感じるように仕組まれていたと言える。
【０００５】
しかし、上述したとおりの昨今の社会的風潮から、長年に渡って培われてきていた伝承が蔑ろにされ、海外における挙式や、簡略的な挙式・披露宴、またはパーティ形式の披露宴等といった全く伝統に囚われない形式の結婚式だけが流行して、元来の結婚式の主旨や歴史文化の意義が忘れられつつあるという実態は、経済的発展は遂げたというものの、社会的不安は募るばかりで、精神的安泰が強く望まれる今の時期こそ、そうした風潮を見直し、社会生活における結婚式の意義を、本人達は固よりのこと、社会全体で再考してみる必要性があるのではないかと言える。
【０００６】
とはいうものの、一旦流れはじめたこうした風潮は、そう容易く軌道修正できる訳もなく、そこで、我が国の伝統、文化の中に、人生において極めて意義深く、重大な儀式の一つとして捕らえられていて、現在でも“能”や“狂言”の演目としても継承されてきている「元服の儀」の際の装束を見い出し、その装束を結婚式という儀式の一部に採用することの意義について思い致したところ、元来、“元服の儀”は、かって若者が大人として認められ、一人前の社会人として義務と貴任とが課される、今でいう成人式の際に執り行われた格式の高い式典であって、当の成人式は最早お祭りに化していて到底そうした意義を期待できないことにも鑑みれば、一人の男子が結婚式という人生の関門で、かっては極めて厳粛な意味合いの強かった“元服の儀”の装束「烏帽子折り」を着用することにより、かっての儀式の意義にあやかって、人生の関門たる結婚式に望んだ自らの自覚を高める効果を生み出すことができるのではないかとの結論に達したものである。
【０００７】
そして、この男子のための“元服の儀”の装束「烏帽子折り」に匹敵するものとして、女子には、かっては花嫁支度の最後に母親に身につけてもらうこととなった「三宝」、即ち筥迫、懐剣、末広があって、それらは、妻として、母として生きることの重要な心構えと、二度と我が娘には戻らぬ最後の日に母親の強く切なく優しい想いを込め、涙をのんで送り出してくれたものであったということに因み、上記した花婿の「烏帽子折り」の着用に対をなして、これら「三宝」の受渡しの儀を取り入れることにより、結婚式に望む一方の当事者としての花嫁が、人生の関門たる結婚式に望んだ自らの自覚を高める効果を、花婿と共に生み出すことができるのはないかと考えた。
【０００８】
この発明は、以上のような観点から、既に意義が薄らぎつつある近時の結婚式を再考し直し、本人同士は固より、その儀式に参列する人皆が、人生の関門たる結婚式の場において、その意義の重大さを感知して互いにより良い社会生活構築の切っ掛けとなるよう、我が国古来からの継承すべき文化、慣習を現状の結婚式に無理なく取り入れられ、その式典の進行に際しては、新たに取り入れることとなる「烏帽子の儀」と「三宝の儀（以下では、三宝を代表して筥迫の儀と称する。）」とを含む式典プログラムの各場面の音楽効果が、西洋音楽とも融合して円滑且つ機械的に執り行われるようにした新規な結婚式の式典進行システムを開発、完成することに成功したものであり、以下では、代表的な一実施例と共に、その構成について詳述していくこととする。
【０００９】
【発明の構成】
この発明の「結婚式の式典進行システム」は、基本的に次のとおりの構成から成り立っている。
即ち、ＣＤあるいはＭＤに、夫々独立した再生用トラックを１４トラック以上用意してトラックＴｒ−１，Ｔｒ−２，……，Ｔｒ−１４，……とした上、予め結婚式プログラムの各場面に応じて選択した最適な曲想の幾つかの曲や効果音等の音源Ｍ−Ｅ，Ｍ−Ｐ，Ｍ−Ｊ，Ｍ−Ｆ，Ｍ−Ｓ夫々を、演奏場面における割当て時間に対応可能となるよう曲の演奏箇所および演奏時間の長さを編集して演奏課目Ｍ−Ｅ１，Ｍ−Ｅ２，……，Ｍ−Ｐ１，Ｍ−Ｐ２……，Ｍ−Ｊ１，Ｍ−Ｊ２，……，Ｍ−Ｆ１，Ｍ−Ｆ２，……，Ｍ−Ｓ１，Ｍ−Ｓ２……とし、各トラック毎にそれら演奏課目を割り振り録音したものとしてＰＣ入力用記録媒体となし、式典プログラム各場面で演奏すべき曲や効果音に相当する基本演奏課目Ｍ−Ｅ１，Ｍ−Ｐ１，Ｍ−Ｊ１の録音されたトラックＴｒ−１，Ｔｒ−５，Ｔｒ−１０を、式典プログラム進行予定に合わせ、式典開始時間からの積算値として、予めＰＣに該ＰＣ入力用記録媒体を使った演奏開始時点に指定、入力し、これら基本演奏課目Ｍ−Ｅ１，Ｍ−Ｐ１，Ｍ−Ｊ１を所定場面に自動演奏可能となるようにする手段、式典進行が予定時間から外れる状況が予測され始めた時点に、予め入力した基本演奏課目と同種の演奏課目で、予想される外れ具合に対応可能な演奏課目の録音されたトラックを補正トラックとして任意の位置にドラッグ、入力し、それら補正トラックに録音された補正演奏課目Ｍ−Ｅ２，Ｍ−Ｐ２，Ｍ−Ｊ２を、基本演奏課目Ｍ−Ｅ１，Ｍ−Ｐ１，Ｍ−Ｊ１の演奏中にクロスフェードして補正演奏課目Ｍ−Ｅ２，Ｍ−Ｐ２，Ｍ−Ｊ２の演奏に自動的または手動によって置き換え処理する手段、更に式典進行が予定時間から外れ、補正演奏課目Ｍ−Ｅ２，Ｍ−Ｐ２，Ｍ−Ｊ２の演奏で対処しきれない状況が予測されたときには、予想される外れ具合に対応可能なその他の演奏課目の録音されたトラックを再補正トラックとして任意の位置にドラッグ、入力し、上記置き換え処理手段と同様に置き換えする処理手段を繰り返す手段を備えてなる構成を要旨とする結婚式の式典進行システムである。
【００１０】
この基本的な構成による「結婚式の式典進行システム」には、ＣＤあるいはＭＤに、夫々独立した再生用トラックを１４トラック以上用意してトラックＴｒ−１，Ｔｒ−２，……，Ｔｒ−１４，……とした上、日本の伝統的装束である烏帽子筥迫＝烏帽子を身に付けて雛壇まで行列、行進する入場様式とする結婚式の烏帽子の儀式および筥迫の儀式の儀式進行場面、ならびにその儀式後に行列、行進する場面に応じ、予め謡や雅楽、あるいはそれらに代わる新曲等少なくとも二曲Ｍ−Ｅ，Ｍ−Ｊと鈴の音Ｍ−Ｓの音源夫々を、演奏場面における割当て時間に対応可能となるよう曲の演奏箇所および演奏時間の長さを編集して演奏課目Ｍ−Ｅ１，Ｍ−Ｅ２，……，Ｍ−Ｅ７、およびＭ−Ｊ１、ならびにＭ−Ｓ１，Ｍ−Ｓ２とし、各トラック毎にそれら演奏課目を割り振り録音したものとしてＰＣ入力用記録媒体となし、式典の進行各場面で演奏すべき曲や効果音に相当する基本演奏課目Ｍ−Ｅ１，Ｍ−Ｐ１，Ｍ−Ｊ１の録音されたトラックＴｒ−１，Ｔｒ−５，Ｔｒ−１０を、式典プログラム進行予定に合わせ、式典開始時間からの積算値として、予めＰＣに該ＰＣ入力用記録媒体を使った演奏開始時点に指定、入力し、これら基本演奏課目Ｍ−Ｅ１，Ｍ−Ｐ１，Ｍ−Ｊ１を、烏帽子の儀式および筥迫の儀式の儀式進行場面、ならびにその儀式後に行列、行進する場面に自動演奏可能となるようにする手段、式典進行が予定時間から外れる状況が予測され始めた時点に、予め入力した基本演奏課目と同種の演奏課目で、予想される外れ具合に対応可能な演奏課目の録音されたトラックを補正トラックとして任意の位置にドラッグ、入力し、それら補正トラックに録音された補正演奏課目Ｍ−Ｅ２，Ｍ−Ｐ２，Ｍ−Ｊ２を、基本演奏課目Ｍ−Ｅ１，Ｍ−Ｐ１，Ｍ−Ｊ１の演奏中にクロスフェードして補正演奏課目Ｍ−Ｅ２，Ｍ−Ｐ２，Ｍ−Ｊ２の演奏に自動的または手動によって置き換え処理する手段、更に式典進行が予定時間から外れ、補正演奏課目Ｍ−Ｅ２，Ｍ−Ｐ２，Ｍ−Ｊ２の演奏で対処しきれない状況が予測されたときには、予想される外れ具合に対応可能なその他の演奏課目の録音されたトラックを再補正トラックとして任意の位置にドラッグ、入力し、上記置き換え処理手段と同様に置き換えする処理手段を繰り返す手段を備えた構成からなる結婚式の式典進行システムが包含されている。
【００１１】
ＰＣ入力用記録媒体には、この発明の式典進行システムをどの結婚式場におけるＰＣ（パーソナルコンピューター）でも手軽に再生してその進行手順に適応可能となるよう、ＣＤあるいはＭＤが採用されなければならず、主として結婚式場の様式や規模の違いに起因して発生することが予想される進行具合のズレに自動または手動で適格に順応できるようにするため、これまでに結婚式を企画、運営してきた経験からして、主要な場面の音楽効果を演出する上で、少なくとも１４トラック以上を必要とし、予め結婚式プログラムの各場面に応じて選択した最適な曲想の幾つかの曲や効果音等の音源Ｍ−Ｅ，Ｍ−Ｐ，Ｍ−Ｊ，Ｍ−Ｆ，Ｍ−Ｓ夫々を、演奏場面における割当て時間に対応可能となるよう曲の演奏箇所および演奏時間の長さを編集して演奏課目Ｍ−Ｅ１，Ｍ−Ｅ２，……，Ｍ−Ｐ１，Ｍ−Ｐ２……，Ｍ−Ｊ１，Ｍ−Ｊ２，……，Ｍ−Ｆ１，Ｍ−Ｆ２，……，Ｍ−Ｓ１，Ｍ−Ｓ２……とし、それら演奏課目を、個別に各トラック毎に割り振り、記録したものとしておかなければならない。
【００１２】
そして、このＰＣ入力用記録媒体を使って、予め結婚式場に備えられたＰＣには、式典プログラム各場面で演奏すべき曲や効果音に相当する基本演奏課目Ｍ−Ｅ１，Ｍ−Ｐ１，Ｍ−Ｊ１の録音されたトラックＴｒ−１，Ｔｒ−５，Ｔｒ−１０を、式典プログラム進行予定に合わせ、式典開始時間からの積算値として、演奏開始時点に指定、入力したものとして、これら基本演奏課目Ｍ−Ｅ１，Ｍ−Ｐ１，Ｍ−Ｊ１が所定場面に自動演奏可能となるようにした手段が必要とされる。
【００１３】
一方、式典進行が予定時間から外れる状況を想定し、式典が始まって予定時間から外れる状況が予測され始めた時点に、予め入力した基本演奏課目と同種の演奏課目で、予想される外れ具合に対応可能な演奏課目の録音されたトラックを補正トラックとして任意の位置にドラッグ、入力し、それら補正トラックに録音された補正演奏課目Ｍ−Ｅ２，Ｍ−Ｐ２，Ｍ−Ｊ２を、基本演奏課目Ｍ−Ｅ１，Ｍ−Ｐ１，Ｍ−Ｊ１の演奏中にクロスフェードして補正演奏課目Ｍ−Ｅ２，Ｍ−Ｐ２，Ｍ−Ｊ２の演奏に自動的または手動によって置き換え処理することができるようにした手段が実現可能となるようにしておかなければならない。
【００１４】
更には、上記した置き換え処理する手段で補正しきれない式典進行の外れを想定し、式典進行が予定時間から外れ、補正演奏課目Ｍ−Ｅ２，Ｍ−Ｐ２，Ｍ−Ｊ２の演奏で対処しきれない状況が予測されたときには、予想される外れ具合に対応可能なその他の演奏課目の録音されたトラックを再補正トラックとして任意の位置にドラッグ、入力し、上記置き換え処理手段と同様にして、逐次置き換え処理する手段が実現可能となるようにし、以降も必要に応じて数次に渡って置き換え処理する手段を繰り返すことができるようにしておかなければならない。
【００１５】
これら手段が、結婚式場備付けのＰＣによって制御されるようにすることにより、主として結婚式場の様式や規模の違いに起因して発生することが予想される式典進行のズレに殆ど対応可能な結婚式の式典進行システムが実現する。
以下、具体的な実施例によって、この発明に包含される結婚式の式典進行システムの構成が、より一層明確に把握できるようにする。
【００１６】
【実施例】
この実施例は、従前からの結婚式を基本にするものの、通常であれば新郎、新婦が雛壇まで、例えば「長もち唄」を背景音楽とした昔ながらの和装スタイルだったり、あるいは、「いい日旅立ち」等ポップス系のアレンジ曲を背景音楽に綺羅びやかな洋装スタイルで、仲人と共に列をなして行進するだけとしていた場面に代え、式場の扉が開かれて新郎、新婦が入場した直後に、その場に佇んでスポットライトを浴びながら、烏帽子の儀式および筥迫の儀式（まとめて「烏帽子筥迫の儀」と称する。）を厳粛な雰囲気を醸し出しながら執り行い、狩衣を着用した新郎には頭に「烏帽子」が被せられ、和装の新婦には「三宝」が携えられるようにした後、鈴女（すずめ）の打ち鳴らす鈴を先導に、恭しく雛壇まで行進する新たなシステムを取り入れた結婚式の式典進行システムである。
【００１７】
この烏帽子筥迫の儀を執り行う際の衣裳、従者、小道具、背景音楽とする基本演奏課目Ｍ−Ｅ，Ｍ−Ｐ，Ｍ−Ｊを列挙すると、次のとおりである。
0004360767.tif 000002
【００１８】
0004360767.tif 000003
【００１９】
0004360767.tif 000004
【００２０】
0004360767.tif 000005
【００２１】
0004360767.tif 000006
【００２２】
そして、結婚式冒頭に取り入れる「烏帽子筥迫の儀」は、図１の配置図に従ってその式次第をシナリオ風に示せば、次のようにして執り行われる。
（１）下座入口より入場
Ａ群は、音楽に合わせながら、図１の下座・へ、Ｂ群は下座・の方へ横一列に並んで待つ。
0004360767.tif 000007
【００２３】
（２）  先ず、Ａ群は図１の３に進み、鳥帽子の儀式、即ち同席の謡師人が謡をはじめ、それに併せて鳥帽子親が新郎に鳥帽子を被せ、鳥帽子を被せ終わったところで、新郎が立ち上がって笏を前に抱えて一礼の後、Ａ群皆が元の図１の下座１に戻って待機する。
（３）  続いてＢ群が図１の３に進み、司会者のナレーションに従って筥迫の儀式、即ち新婦の母から筥迫・懐剣・末広の三宝を携えられる式を執り行う。
（４）  筥迫の儀式を終了したところで、新郎と鈴女は新婦の横へ並ぶよう図１の３に進み出て、それと同時に新婦母と介添え人とは、新郎、新婦から一歩下がった位置に移る。
この間、図５の楽譜に示す旋律の基本演奏科目Ｍ−Ｅ（烏帽子折幻想曲）がスピーカーから流されている。
（５）  鈴女は、音楽に合わせて鈴を鳴らしながら、新郎、新婦を先導して図１の４へ向かう。鈴はあまり数を鳴らし過ぎないよう、曲のテンポに合わせ２〜４小節に一回程度の割合で振るようにする。
（６）  雛壇の近くにきたら、鈴女は雛壇６脇の図１の５へ進んでたたずみ、鈴を鳴らしながら、後続していた新郎、新婦が雛壇６の脇に到着するまで待つ。
（７）  雛壇６脇から、新郎は新婦の手を取り、エスコートしながら雛壇６上に共に進み、正面を向き、来賓へ二人で一礼、そして一同礼して「烏帽子筥迫の儀」を滞りなく終了し、以降は従前どおりの式典進行とする。
【００２４】
なお、上記した式典進行内容は、この発明の最も代表的な事例を示したものであって、場合によっては、上記（２）における鳥帽子の儀式だけを  図１の３の位置ではなく、式場に入った新郎、新婦の中、狩衣、無冠姿の新郎を含むＡ群だけが雛壇６の直前あるいは脇に進み、それらの位置で執り行った後、新婦は入場口近くの下座３において筥迫の儀式を終了し、その後、鈴女が音楽に合わせて鈴を鳴らしながら新婦を先導し、新婦の待つところまで進むようにした進行内容を、新郎、新婦の希望や式場の事情等によって適宜選択、採用したプログラムにすることも勿論可能である。
【００２５】
このようにして執り行われる結婚式の式典プログラムを演出するため、ＰＣ入力用記録媒体を使って、結婚式場に備えられたＰＣに、予め式典プログラム各場面で演奏すべき曲や効果音に相当する基本演奏課目Ｍ−Ｅ，Ｍ−Ｐ，Ｍ−Ｊ、式典進行が予定時間から外れる状況を想定した補正演奏課目Ｍ−Ｅ２，Ｍ−Ｐ２，Ｍ−Ｊ２、再補正演奏課目Ｍ−Ｅ３，Ｍ−Ｐ３，Ｍ−Ｊ３、……として入力しておき、結婚式の開始と同時にＰＣからの指令として、図２のフローチャートに従い、その情報をミキサーに送り、司会者の声とミキシングされて会場スピーカーから効果音として流すようにするものであり、図３の音源リストに取り上げた演奏科目が、図４のトラック指定一覧表に従って記録媒体であるＣＤあるいはＭＤへ記録されてＰＣ入力用記録媒体とされ、ＰＣによる再生に至るまでのプロセスは、次のとおりである。
【００２６】
先ず、記録媒体であるＣＤあるいはＭＤの再生トラックとして１４トラック以上を用意し、図３の使用音源リストの番号に従い、図４のＰＣトラック指定一覧表どおりに入力する。（この段階では、全てのフェーダーを絞っておく。）
推奨パターン、即ち式典のプログラムどおりのパターンに合せ、タイムコード０’００”ポイントからスタートし、Ｔｒ−１、Ｔｒ−５、Ｔｒ−１０の音を出る状態にしておいた上、Ｔｒ−１のＭ−１４を完奏後にミュート（フェーダーを絞る）し、Ｔｒ−５のＭ−８を完奏する。また、Ｔｒ−１０のＭ−１４を再生中にＴｒ−１３のＭ−１６を再生するようにしておき、雛壇にて新郎、新婦一礼後に併せてフェードアウトするようにする。
【００２７】
この推奨パターンに対し、次のとおりのトラブルシューティングのための再生トラックも予め入力しておく。
Ａ  新郎の進行が２分１５秒の時点で適正位置に着く見込みがない場合は、その時間の遅れを配慮してＴｒ−３のＭ−５、または、Ｔｒ−４のＭ−４にクロスフェードして時間を調整する。（この場合、その前の時点でＴｒ−５とＴｒ−１０のフェーダーは絞っておく。）
【００２８】
Ｂ  Ａの場合よりも時間が長くかかるような場合は、２分１５秒の時点でＴｒ−２のＭ−２にクロスフェードし、その時点でその先の進行時間を考慮検封して、Ｔｒ−１のＭ−１、Ｔｒ−２のＭ−７、Ｔｒ−３のＭ−６、Ｔｒ−４のＭ−４の何れかにクロスフェードして調整する。なお、下線の４つのトラックは、４分３０秒からスタートさせる。また、この場合も同様に、使用しないトラックのフェーダーを絞る。
【００２９】
Ｃ  ＡのＴｒ−３を使用した場合、Ｔｒ−３のＭ−５（完奏）でＴｒ−６のＭ−８にクロスフェードして調整する。ＡのＴｒ−４を使用した場合は、Ｔｒ−４のＭ−４（完妻）でＴｒ−７のＭ−８にクロスフェードして調整し、筥迫・懐剣・末広入場へ進行するようにしておく。（Ｂの場合も同様で、Ｍ−８を使用し、筥迫懐剣末広入場へ進行する。）
各シーンで曲が終わってしまいそうなときは、以上のような方法でトラックと曲とを選択していく。
【００３０】
Ｄ  筥迫・懐剣・末広入場において曲が足りないようなときは、Ｔｒ−１２のＭ−１５（ＳＥ）とクロスフェードしてＴｒ−８のＭ−１０を任意の位置にドラック（移動）し、ＳＥとクロスフェードして調整する。
Ｅ  筥迫・懐剣・末広入場のシーンの懐剣のときに曲のさぴの部分を使用する場合、Ｔｒ−１２のＭ−１５（ＳＥ）とクロスフェードしてＴｒ−９のＭ−１２を任意の位置にドラック（移動）し、ＳＥとクロスフェードして調整する。
【００３１】
Ｆ  筥迫・懐剣・末広入場が終わり次第、Ｄと同様にＴｒ−１２のＭ−１５  （ＳＥ）とクロスフェードしてＴｒ−１１のＭ−１４を任意の位置にドラックしてクロスフェードする。
Ｇ  Ｄ、Ｅ、Ｆの手順は、Ｂの方法をとった場合も同様となる。
Ｈ  鈴の導のシーンでは、Ｍ−１４を再生しＴｒ−１３のＭ−１６を使用し、新郎、新婦が雛壇にて一礼後、フェードアウトして終了させる。
なお、Ｔｒ−１４にはナレーションが入れてあり、台本と動作、会場の広さ等を考慮した上で、曲に合わせて任意の位置に合わせてドラックし、再生する。
【００３２】
【作用効果】
以上のとおりの構成からなるこの発明の結婚式の式典進行システムは、結婚式プログラム各場面で演奏する曲や効果音等の音源夫々を、予めＰＣに入力して演奏場面に応じて自動演奏するようにしたものであって、会場の大きさ等使用する会場の状況で、式典進行が予定から外れる虞れのあるときでも、ＰＣ入力用記録媒体に予め記録した演奏課目を最適な条件で置き換え処理可能とし、ある程度決められた時間内で進行できる場合であれば、入場の途中でＰＣ上の操作をしなくてもよいようにしてあり、特に、今まで取り入れられることのなかった烏帽子筥迫の儀式を取り入れる際に、不馴れのために音源の開始時間や演奏時間の変更を余儀無くされたとしても十分対応可能となるようにするという大きな特徴を有するものである。
【００３３】
このように、新たに取り入れることとなる我が国伝統の烏帽子筥迫の儀式であっても、極めて円滑且つ厳粛に遂行可能とすることから、単にお祭り的な感覚で捕らえられ、ともすればその意義が薄らいでしまい、本来人生の重要な関門たるべき儀式でありながら、本人同士は固よりのこと、その儀式に参列する人達までもが是認しがちになってしまっている昨今のショー化した結婚式を、原点に立ち返って真の意義を感じ取る切っ掛けとすることができ、募る社会的不安を少しでも払拭して互いにより良い社会生活を享受していくことができるようにするという秀れた効果が期待できるものとなる。
【００３４】
上述の如く、この発明の結婚式の式典進行システムは、その新規な構成によって所期の目的を普く達成可能とするものであり、既に定着したかのように見えるショー化した結婚式にも、予め用意したＰＣ入力用記録媒体を使ってのＰＣによる電気的制御で無理なく取り入れられるようにしたことから、我が国古来からの継承すべき文化、慣習を取り戻した結婚式の遂行が、従前からの結婚式場においても容易に受け入れ、実施し得るものとなり、新たな第一歩を踏み出す若者達からは固よりのこと、社会全体からも高い評価がなされ、大いに普及、拡大していくものになると予想される。
【図面の簡単な説明】
図面は、この発明の結婚式の式典進行システムの技術的思想を具現化した代表的な一実施例を示すものである。
【図１】「烏帽子筥迫の儀」の配置図である。
【図２】結婚式の式典進行システムに使用するフローチャートである。
【図３】音源リストである。
【図４】トラック指定一覧表である。
【図５】烏帽子折幻想曲の楽譜である。
【符号の説明】
１      新郎側（Ａ群）
２      新婦側（Ｂ群）
３      烏帽子の儀、筥迫の儀を執り行う位置
４      雛壇前
５      雛壇脇
６      雛壇
Ｍ−Ｅ    基本演奏課目
Ｍ−Ｅ１    補正演奏課目
Ｍ−Ｐ    基本演奏課目
Ｍ−Ｐ      補正演奏課目
Ｍ−Ｊ    基本演奏課目
Ｍ−Ｊ      補正演奏課目
【図１】
0004360767.tif 000008
【図２】
0004360767.tif 000009
【図３】
0004360767.tif 000010
【図４】
0004360767.tif 000011
【図５】
0004360767.tif 000012